(57)【要約】【課題】ＣＤＭＡ方式を用いた移動体通信システムの携帯端末装置に関し、特にコンプレストモードを用いたハンドオーバを行なう携帯端末装置において、現在通信を行なっている周波数とは異なる周波数や、他の通信システムのＧＡＰでの測定をとりやめて、自周波数の測定およびＳＦＮ取得を可能とする携帯端末装置を提供する。【解決手段】通信中の周波数とは異なる周波数のＧＡＰでの測定頻度、または異なる通信システムのＧＡＰでの測定頻度により測定対象を決定する測定対象決定部１１０と、前記決定に従って、測定対象に適したＲＦ部とシンセサイザの切り替えを行なう切り替え制御部１０９とを備え、ＧＡＰの頻度が高い場合は、ＧＡＰでの測定を取りやめて、自周波数の測定およびＳＦＮ取得を行なうよう制御する。【選択図】図１
2006121172.tif 000002
【特許請求の範囲】
【請求項１】
複数の通信システム間で通信可能な携帯端末装置において、通信中の周波数とは異なる周波数の測定頻度、または異なる通信システムの測定頻度により、測定対象を判断し決定する測定対象決定部と、前記測定対象決定部の決定に従って測定対象を切り替える切り替え制御部とを備えることを特徴とする携帯端末装置。
【請求項２】
複数の通信システム間で通信可能な携帯端末装置において、通信中の周波数とは異なる周波数の測定頻度、または異なる通信システムの測定頻度により、通信中の周波数における測定を優先して測定対象に決定する測定対象決定部と、前記測定対象決定部の決定に従って測定対象を切り替える切り替え制御部とを備えることを特徴とする携帯端末装置。
【請求項３】
複数の通信システム間で通信可能な携帯端末装置において、通信中の周波数とは異なる周波数の測定頻度、または異なる通信システムの測定頻度を記憶する測定頻度記録部と、前記測定頻度記録部が記憶した測定頻度に従って測定対象を判断し決定する測定対象決定部と、前記測定対象決定部の決定に従って測定対象を切り替える切り替え制御部とを備えることを特徴とする携帯端末装置。
【請求項４】
複数の通信システム間で通信可能な携帯端末装置において、通信中の周波数の測定、通信中の周波数とは異なる周波数の測定、異なる通信システムの測定の中での優先順位を決定する優先順位設定部と、前記優先順位設定部が決定した優先順位に従って測定対象を判断し決定する測定対象決定部と、前記測定対象決定部の決定に従って測定対象を切り替える切り替え制御部とを備えることを特徴とする携帯端末装置。
【請求項５】
ランダムアクセスチャネル送信を要求できるランダムアクセスチャネル送信要求部と、前記ランダムアクセスチャネル送信要求部から要求があった場合に、ランダムアクセスチャネルを送信するか、通信中の周波数とは異なる周波数の測定、または異なるシステムの測定を行なうかを判断し決定する測定対象決定部と、前記測定対象決定部の判断に従った設定への切り替えを行なう切り替え制御部とを備えることを特徴とする請求項１から４のいずれか１項に記載の携帯端末装置。
【発明の詳細な説明】
【技術分野】
【０００１】
本発明は、ＣＤＭＡ方式を用いた移動体通信システムの携帯端末装置に関し、特にコンプレストモードを用いてハンドオーバを行なう携帯端末装置に関する。
【背景技術】
【０００２】
第３世代方式の移動体通信システムにおいては、無線アクセス方式にＣＤＭＡ方式が採用されている。このＣＤＭＡ方式では隣接する基地局が同一周波数を用いていることを利用して、携帯端末装置が複数の基地局からの信号を合成するソフトハンドオーバを行なっている。このソフトハンドオーバを行うために、携帯端末装置は移動先の基地局を探すセルサーチを行い、移動先の基地局の回線品質を測定し、基地局間タイミングを取得し、ネットワーク側へ通知する。そして、ネットワークは携帯端末装置から通知された移動先の基地局の回線品質の測定結果と基地局間タイミングから、携帯端末装置がどの基地局と通信を行なうかを判断している。
【０００３】
またこのＣＤＭＡ方式では、現在通信を行なっている基地局の周波数とは異なる周波数を持つ基地局に通信を切り替える、もしくはＵＭＴＳやＧＳＭなどの別のアクセス技術を用いた他の通信に切り替えるハードハンドオーバが行なわれている。このハードハンドオーバを実行するために、無線通信の送受信を一時的に中断するコンプレストモード（Ｃｏｍｐｒｅｓｓｅｄ  Ｍｏｄｅ）を用いることが知られている（例えば、非特許文献１参照）。コンプレストモードでは、ＧＡＰと呼ばれる時間間隔を定め、このＧＡＰを数スロット設けて送受信を一時的に中断している。そしてこのＧＡＰを利用して、現在通信を行なっている周波数とは異なる周波数をもつ基地局、もしくは他のシステム（ここで、他のシステムとは、ＵＭＴＳやＧＳＭなどの別のアクセス技術を用いた通信システムのことを示す。）の基地局を検出し、移動先の基地局の回線品質を測定する。
【非特許文献１】３ＧＰＰ（３ｒｄ  Ｇｅｎｅｒａｔｉｏｎ  Ｐａｒｔｎｅｒｓｈｉｐ  Ｐｒｏｊｅｃｔ）２５．２１５（６．１．１  Ｃｏｍｐｒｅｓｓｅｄ  Ｍｏｄｅ）
【発明の開示】
【発明が解決しようとする課題】
【０００４】
しかしながら、従来の携帯端末装置においては、現在通信を行なっている周波数とは異なる他の周波数の基地局や、他の通信システムの基地局を検出、測定するためＧＡＰの頻度が高くなると、現在通信を行なっている周波数（自周波数）の測定が困難となる。
【０００５】
たとえば、自周波数の基地局間のタイミングを取得するためには、システムフレーム番号（ＳＦＮ）の取得が必要であり、４０ｍｓから５０ｍｓ程度の時間が必要となる。しかしＧＡＰ頻度が高くなると、ＳＦＮ取得の時間間隔がとれず、基地局間タイミング取得ができないため、速やかなソフトハンドオーバができない。
【０００６】
本発明の携帯端末装置は、従来の問題を解決するためになされたもので、現在通信を行なっている基地局とは異なる周波数、または他の通信システムの測定用のＧＡＰの頻度が高い場合は、ＧＡＰでの測定をとりやめて、自周波数の測定を優先することのできる携帯端末装置を提供することを目的としている。
【課題を解決するための手段】
【０００７】
本発明の携帯端末装置は、複数の通信システム間で通信可能な携帯端末装置であって、通信中の周波数とは異なる周波数、異なる通信システムの測定頻度、すなわちＧＡＰの頻度によって、測定対象を決定する測定対象決定部と、前記測定対象決定部の決定に従って
測定対象を切り替える切り替え制御部とを備えた構成を有している。この構成により、ＧＡＰの頻度が高い場合には、ＧＡＰでの測定をとりやめてＳＦＮの取得を行うことで、速やかなソフトハンドオーバを可能にする。
【０００８】
また、本発明の携帯端末装置は、各測定対象の測定頻度を記憶する測定頻度記録部と、前記測定頻度記録部が記憶した測定頻度から測定対象を判断する測定対象決定部と備えた構成を有している。この構成により、現在通信を行なっている周波数の測定、ＳＦＮ取得を優先して行なう場合に、現在通信を行なっている周波数とは異なる周波数の測定や、他の通信システムの測定頻度を考慮し、その頻度が低い場合には、自周波数の測定を行なわず、ＧＡＰでの測定を実施する。すなわち現在通信を行なっている周波数とは異なる周波数の測定や他の通信システムの測定を行なう。またＧＡＰでの測定の頻度が高く、異なる周波数の測定や他のシステムの測定が十分に行なわれていると判断した場合には、ＧＡＰでの測定をとりやめて、自周波数の測定を行なうことができる。
【０００９】
さらに、本発明の携帯端末装置は、各測定対象の優先順位を決定する優先順位設定部と、前記優先順位設定部が決定した優先順位に従って測定対象を判断する測定対象決定部とを備えた構成を有している。この構成により、通信環境に応じて、現在通信を行なっている周波数とは異なる周波数の測定、他の通信システムの測定、自周波数の測定に優先順位を決定することができるため、優先順位に従って、測定を行なうことができる。
【００１０】
さらに、本発明の携帯端末装置は、ランダムアクセスチャネル送信を要求できるランダムアクセスチャネル送信要求部と、前記ランダムアクセスチャネル送信要求部から要求があった場合に、ランダムアクセスチャネルを送信するか、通信中の周波数とは異なる周波数、異なる通信システムの測定を行なうかを判断する測定対象決定部と、前記測定対象決定部の判断に従って設定に切り替えることができる切り替え制御部とを備えた構成を有している。この構成により、ランダムアクセスチャネル送信要求があった場合に、通信環境に応じて、現在通信を行なっている周波数でのランダムアクセスチャネル送信、他の周波数の測定、他の通信システムの測定に、優先順位を決定することができるため、決定した優先順位に従って測定、もしくはランダムアクセスチャネルの送信を切り替えることができる。
【発明の効果】
【００１１】
本発明は、複数の通信システム間で通信可能な携帯端末装置であって、通信中の周波数とは異なる周波数、異なる通信システムの測定頻度によって、測定対象を判断する測定対象決定部と、前記測定対象決定部の決定に従って測定対象を切り替える切り替え制御部とを設けることにより、現在通信を行なっている周波数とは異なる周波数、異なる通信システムのＧＡＰでの測定を取りやめて、現在通信を行なっている周波数の測定、ＳＦＮ取得を優先させることができるため、速やかなソフトハンドオーバができることで途切れない通信を可能とし、通信品質を向上させることができるという効果を有する携帯端末装置を提供することができる。
【発明を実施するための最良の形態】
【００１２】
以下、本発明を実施するための最良の形態について、図面を参照しながら説明する。
【００１３】
（実施の形態１）
本発明の第１の実施の形態の携帯端末装置を図１に示す。図１の携帯端末装置１０１は、信号の送受信を行なうアンテナ１０２と、無線処理をおこなうＲＦ部１０３と、シンセサイザの制御を行なうシンセサイザ制御部１０４と、測定対象の周波数やシステムによってＲＦ部とシンセサイザの切り替えを行なう切り替え制御部１０９と、制御部１１１を有している。ここで制御部１１１は、送信信号を処理してＲＦ部１０３へ出力する送信制御
部１０６と、ＲＦ部１０３からの受信信号を処理する受信制御部１０７と、前記受信信号よりコンプレストモードのＧＡＰがあることを判断するＧＡＰ判断部１０８と、測定制御部１１５を有しており、ＧＡＰ判断部１０８には、測定対象を決定する測定対象決定部１１０が含まれる。測定制御部１１５は測定対象決定部１１０によって決められた測定対象の測定を制御する。
【００１４】
以下、現在通信を行なっている周波数の基地局検出、受信信号のレベル測定、ＳＦＮの取得を自周波数測定と記載し、また現在通信を行なっている周波数とは異なる周波数の基地局検出、受信信号のレベル測定を他周波数測定と記載し、さらに現在通信を行なっているシステムとは異なる通信システムの基地局検出、受信信号のレベル測定を他システム測定と記載する。
【００１５】
図２は、あるシステムのＧＡＰシーケンス図を表している。すなわち、図２では、左から右にかけて１０ｍｓのタイムスロットが並んでいて、ＧＡＰシーケンスＡが他システムを測定するＧＡＰがどのタイムスロットにあるかを示している。また、ＧＡＰシーケンスＢが他の異なる周波数を測定するＧＡＰがどのタイムスロットにあるかを示している。図２のＧＡＰシーケンスＡの「Ｔ１〜Ｔ２」、「Ｔ５〜Ｔ６」、「Ｔ８〜Ｔ９」、「Ｔ１２〜Ｔ１３」、「Ｔ１６〜Ｔ１７」のＧＡＰ部分が、送受信を一時的に中断して他システムを測定可能なタイミングであることを示している。同様に、図２のＧＡＰシーケンスＢの「Ｔ３〜Ｔ４」、「Ｔ６〜Ｔ７」、「Ｔ１０〜Ｔ１１」、「Ｔ１４〜Ｔ１５」のＧＡＰ部分が、送受信を一時的に中断して異なる周波数を持つ基地局を検出し測定可能なタイミングであることを示している。しかし、図２のようなＧＡＰの頻度の場合は、ＧＡＰの頻度が高く、自周波数の他の基地局のＳＦＮを取得するのに必要な４０ｍｓから５０ｍｓという時間をとることが不可能であり、基地局間タイミングを取得することができない。これではソフトハンドオーバができる環境にある場合でも、それを行なうことができず、通信ができなくなる可能性がある。
【００１６】
本発明の携帯端末装置は、図２のようにＧＡＰの頻度が高い場合において、ソフトハンドオーバを行なうために自周波数測定が必要である場合は、前記測定対象決定部が自周波数測定を優先すると判断し、ＳＦＮを取得するのに必要な４０ｍｓから５０ｍｓという区間Ａ（Ｔ６〜Ｔ１１）の時間間隔について、ＧＡＰシーケンスＡとＧＡＰシーケンスＢの測定をとりやめて自周波数の測定を優先的に行なう。このことにより、ＳＦＮの取得が可能となり、速やかなソフトハンドオーバを行なうことができる。
【００１７】
以上のように構成された携帯端末装置について、図３と図４のフローチャートを用いてその動作を説明する。図３において、まず、受信制御部１０７で処理された受信信号より、ＧＡＰ判断部１０８は、一定区間にＧＡＰがあるか否かを判断する（Ｓ３１）。ＧＡＰがないと判断した場合（Ｓ３１−ＮＯ）は、一定区間の測定を"自周波数測定のみ"に設定する（Ｓ３６）。ＧＡＰ判断部１０８が、一定区間にＧＡＰがあると判断した場合（Ｓ３１−ＹＥＳ）は、測定対象決定部１１０が以下の手順で測定対象を決定する。まず、自周波数測定を行なう必要があるかどうかを判断する（Ｓ３２）。これは現在通信している基地局との通信状況から、ソフトハンドオーバの必要性そして自周波数の測定の必要性が判断される。そして自周波数測定が必要でないと判断した場合（Ｓ３２−ＮＯ）は、ＧＡＰの頻度が高い状況であっても、一定区間で自周波数測定をする必要がないことから、" ＧＡＰでの測定実施"に設定する（Ｓ３４）。また、必要であると判断した場合（Ｓ３２−ＹＥＳ）は、自周波数測定が、一定区間のＧＡＰ以外の部分で可能かどうかを判断する（Ｓ３３）。可能であると判断した場合（Ｓ３３−ＹＥＳ）は、ＧＡＰの頻度が高い状況であっても、ＧＡＰでの測定を取りやめる必要がないので、"ＧＡＰでの測定実施"に設定する（Ｓ３４）。また可能でないと判断した場合（Ｓ３３−ＮＯ）は、ＧＡＰの頻度が高いと判定した状況であり、一定区間で自周波数測定をする必要があり、"ＧＡＰ測定をとり
やめて自周波数測定を行なう"に設定する（Ｓ３５）。ＧＡＰ判断部１０８は、図３で示した動作により、測定対象決定部１１０が設定した内容にしたがって、測定制御部１１５に指示して測定を開始する。
【００１８】
次に図４を用いて、測定を行なうときの動作を説明する。測定制御部１１５は、ＧＡＰ判断部１０８からの情報により、自周波数測定か、他システム測定か、他周波数測定のいずれかであることを判断する（Ｓ４１）。自周波数測定であると判断した場合（Ｓ４１−ＹＥＳ）には、測定制御部１１５は、受信制御部１０７、送信制御部１０６に自周波数測定であることを指示し、自周波数測定を行なう（Ｓ４５）。自周波数測定でないと判断した場合（Ｓ４１−ＮＯ）は、測定制御部１１５は、他システム、他周波数測定を行なうために、切り替え制御部１０９に、ＲＦ部切り替え、シンセサイザ切り替えを指示する。切り替え制御部１０９は、指示された測定対象の測定が可能となるように、ＲＦ部１０３を切り替え、シンセサイザ制御部１０４を制御する（Ｓ４２）。次に測定制御部１１５は、受信制御部１０７、送信制御部１０６に他システム、または他周波数測定であることを指示し、測定を行なう（Ｓ４３）。測定の完了後、測定制御部１１５は、切り替え制御部１０９に自周波数測定が可能となるよう、ＲＦ切り替え、シンセサイザ切り替えを指示する（Ｓ４４）。一定区間が終了するまで（Ｓ４６）、ステップＳ４１からステップＳ４６を繰り返す。
【００１９】
ここで、図５を用いて、上記のように構成した本発明の第１の実施の形態の携帯端末装置の具体的な動作を説明する。
【００２０】
図５（ａ）は、測定対象決定部１１０によって、"自周波数測定のみ"に設定された場合（Ｓ３６）を示している。この場合、一定区間にＧＡＰはない。ここで、"区間１"の一定区間の測定を行なう例を説明する。ＧＡＰシーケンスＡを他システム測定のためのシーケンスとし、ＧＡＰシーケンスＢを他周波数測定のためのシーケンスとする。"区間1"の間、他システム及び他周波数測定用のＧＡＰはないため、常に自周波数測定を行なう（Ｓ４５）。
【００２１】
図５（ｂ）は、測定対象決定部１１０によって、"ＧＡＰでの測定実施"に設定された場合（Ｓ３４）を示している。この場合、一定区間内のすべてのＧＡＰでの測定を実施する。ここで、"区間２"の一定区間の測定を行なう例を説明する。ＧＡＰシーケンスＡを他システム測定のためのシーケンスとし、ＧＡＰシーケンスＢを他周波数測定のためのシーケンスとする。Ｔ０〜Ｔ１では、自周波数測定と判断し（Ｓ４１−ＹＥＳ）、自周波数測定を行なう（Ｓ４５）。Ｔ１〜Ｔ２は、他システムの測定であると判断し（Ｓ４１−ＮＯ）、ＲＦ部とシンセサイザを他システム用に切り替え（Ｓ４２）、他システムの測定を行なう（Ｓ４３）。Ｔ２〜Ｔ３は、自周波数測定と判断し、Ｔ０〜Ｔ１と同様の制御を行なう。Ｔ３〜Ｔ４は、他周波数の測定であると判断し（Ｓ４１−ＹＥＳ）、ＲＦ部とシンセサイザを他周波数用に切り替え（Ｓ４２）、他周波数の測定を行なう（Ｓ４３）。Ｔ４〜Ｔ５は自周波数測定と判断し、Ｔ０〜Ｔ１と同様の制御を行なう。Ｔ５〜Ｔ６は、他システムの測定であると判断し、Ｔ１〜Ｔ２と同様の制御を行なう。Ｔ６〜Ｔ７は、自周波数測定であると判断し、Ｔ０〜Ｔ１と同様の制御を行なう。
【００２２】
図５（ｃ）は、測定対象決定部１１０によって、"ＧＡＰ測定をとりやめて自周波数測定を行なう"に設定された場合（Ｓ３５）を示している。この場合、自周波数測定区間内におけるＧＡＰでの測定をとりやめて、自周波数の測定を優先的に行なう。ここで、"区間３"の一定区間の測定を行なう例を説明する。ＧＡＰシーケンスＡを他システム測定のためのシーケンスとし、ＧＡＰシーケンスＢを他周波数測定のためのシーケンスとする。Ｔ０〜Ｔ５では、他システム、他周波数のＧＡＰでの測定をとりやめて自周波数測定を行なうよう設定されているため、自周波数測定と判断し（Ｓ４１−ＹＥＳ）、自周波数測定
を行なう（Ｓ４５）。Ｔ５〜Ｔ６では、他システムの測定であると判断し（Ｓ４１−ＮＯ）、ＲＦ部とシンセサイザを他システム用に切り替え（Ｓ４２）、他システムの測定を行なう（Ｓ４３）。Ｔ６〜Ｔ７は、自周波数測定であると判断し、Ｔ０〜Ｔ５と同様の制御を行なう。
【００２３】
なお、ＧＡＰでの他システム、他周波数の測定をとりやめて自周波数の測定を行なっても、そのＧＡＰ内では個別チャネルであるＤＰＣＨを受信することはない。ＤＰＣＨの受信に関しては、ネットワークから指示されたＧＡＰシーケンスにより行なうため、通信には何ら影響は及ぼさない。
【００２４】
このような本発明の第１の実施の形態の携帯端末装置によれば、他システムおよび他周波数測定用のＧＡＰの頻度が高く、自周波数測定に必要な時間がとれない場合に、自周波数測定を優先する区間を設けることで、他システムおよび他周波数のＧＡＰでの測定をとりやめて自周波数測定を行なうことができる。
【００２５】
（実施の形態２）
次に、本発明の第２の実施の形態の携帯端末装置について図６を用いて説明する。なお、図６において、図１と同じ部分には同じ番号を付して、その説明を省略する。図６の携帯端末装置１０１は、測定対象の測定頻度を記録する測定頻度記録部１１２を新たに設けている。測定頻度記録部１１２を設けたことにより、所定の区間内にどれだけのＧＡＰがあったか、またはその測定の種類（他周波数、他システム）を記録するようにしている。この区間の設定は、携帯端末装置がその処理量、メモリ量に応じて任意に行なうことができる。
【００２６】
以上のように構成された携帯端末装置について、図７のフローチャートを用いてその動作を説明する。まず、受信制御部１０７で処理された受信信号より、ＧＡＰ判断部１０８は、ある一定区間にＧＡＰがあることを判断する（Ｓ７１）。ＧＡＰがないと判断した場合（Ｓ７１−ＮＯ）は、ある一定区間の測定を"自周波数測定のみ"に設定する（Ｓ７７）。ＧＡＰ判断部１０８が、ある一定区間にＧＡＰがあると判断した場合（Ｓ７１−ＹＥＳ）は、測定対象決定部１１０が測定対象を決定する。まず、自周波数測定を行なう必要があるかどうかを判断する（Ｓ７２）。必要でないと判断した場合（Ｓ７２−ＮＯ）は、"ＧＡＰでの測定実施"に設定する（Ｓ７５）。また、必要であると判断した場合（Ｓ７２−ＹＥＳ）は、自周波数測定が、ある一定区間のＧＡＰ以外の部分で可能かどうかを判断する（Ｓ７３）。可能であると判断した場合（Ｓ７３−ＹＥＳ）は、"ＧＡＰでの測定実施"に設定する（Ｓ７５）。また可能でない判断した場合（Ｓ７３−ＮＯ）は、これまでの他システム・他周波数の測定頻度を測定頻度記録部１１２より読み出し、他システムもしくは、他周波数の測定頻度が高い場合（Ｓ７４−ＹＥＳ）は"ＧＡＰ測定をとりやめて自周波数測定を行なう"に設定する（Ｓ７６）。また、他システムもしくは、他周波数の測定頻度が低い場合（Ｓ７４−ＮＯ）は、"ＧＡＰでの測定実施"に設定する（Ｓ７５）。
【００２７】
このとき、測定頻度の基準は予め定めておくものとする。例えば、頻度が高いと判断する基準としては、一定区間における測定回数や、過去における測定回数が考えられるが、判断基準はこの限りではない。
【００２８】
ＧＡＰ判断部１０８は、測定対象決定部１１０が設定した内容にしたがって、測定制御部１１５に指示し、測定を開始する。測定頻度記録部１１２は一定区間で行なった測定回数を記録する（Ｓ７８）。
【００２９】
ここで、図８を用いて、本発明の第２の実施の形態の携帯端末装置の動作例を説明する。"区間５"の一定区間の測定を行なう例を説明する。ＧＡＰシーケンスＡを他システム測
定のためのシーケンスとし、ＧＡＰシーケンスＢを他周波数測定のためのシーケンスとする。
【００３０】
測定対象決定部１１０が、測定頻度記録部１１２からこれまでの測定頻度の読み出しを行うと、"区間４"の他システム及び他周波数測定の測定頻度が読み出され、他システム測定回数が２回、他周波数測定回数が1回であった。予め定めてあった"頻度が高い"の基準を"２回以上の測定で頻度が高い“であるとすると、測定対象決定部１１０は、他システムのＧＡＰでの測定を取りやめて自周波数測定を行なうという"自周波数測定を優先"に設定する。
【００３１】
Ｔ７〜Ｔ８では、自周波数測定と判断し（Ｓ４１−ＹＥＳ）、自周波数測定を行なう（Ｓ４５）。Ｔ８〜Ｔ９では、他周波数の測定であると判断し（Ｓ４１−ＮＯ）、ＲＦ部とシンセサイザを他周波数用に切り替え（Ｓ４２）、他周波数の測定を行なう（Ｓ４３）。Ｔ９〜Ｔ１２では、他システムのＧＡＰでの測定をとりやめて自周波数測定を行なうように設定されているため、自周波数測定と判断し（Ｓ４１−ＹＥＳ）、自周波数測定を行なう（Ｓ４５）。Ｔ１２〜Ｔ１３では、他システムの測定であると判断し（Ｓ４１−ＮＯ）、ＲＦ部とシンセサイザを他システム用に切り替え（Ｓ４２）、他システムの測定を行なう（Ｓ４３）。Ｔ１３〜Ｔ１４では、自周波数測定と判断し（Ｓ４１−ＹＥＳ）、自周波数測定を行なう（Ｓ４５）。
【００３２】
図８の例では、測定頻度記録部１１２が記録しているのは"区間４"のみの情報であったが、記録される区間は、これに限ったものではなく、さらに過去からの長期にわたる情報を記録することも考えられる。また記録された情報から、どのくらいの区間の情報を用いて判断するかは、予め定められているものとする。
【００３３】
このような本発明の第２の実施の形態の携帯端末装置によれば、他システムまたは他周波数測定用のＧＡＰの頻度が高く、自周波数測定に必要な時間がとれない場合に、他システムまたは他周波数の測定頻度を考慮して、他システムまたは他周波数のＧＡＰでの測定をとりやめて自周波数測定を行なうことができる。
【００３４】
（実施の形態３）
次に、本発明の第３の実施の形態の携帯端末装置について図９を用いて説明する。なお、図９において、図６と同じ部分には同じ番号を付して、その説明を省略する。図９の携帯端末装置１０１は、各測定対象の優先順位を設定する優先順位設定部１１３を測定対象決定部１１０の中に新たに設けている。優先順位設定部１１３を設けたことにより、測定対象の優先順位の設定を行なうようにしている。
【００３５】
以上のように構成された携帯端末装置について、図１０のフローチャートを用いてその動作を説明する。まず、受信制御部１０７で処理された受信信号より、ＧＡＰ判断部１０８は、ある一定区間にＧＡＰがあることを判断する（Ｓ１０１）。ＧＡＰがないと判断した場合（Ｓ１０１−ＮＯ）は、ある一定区間の測定を"自周波数測定のみ"に設定する（Ｓ１０７）。ＧＡＰ判断部１０８が、ある一定区間にＧＡＰがあると判断した場合（Ｓ１０１−ＹＥＳ）は、測定対象決定部１１０が測定対象を決定する。まず、自周波数測定を行なう必要があるかどうかを判断する（Ｓ１０２）。必要でないと判断した場合（Ｓ１０２−ＮＯ）は、"ＧＡＰでの測定実施"に設定する（Ｓ１０５）。また、必要であると判断した場合（Ｓ１０２−ＹＥＳ）は、自周波数測定が、ある一定区間のＧＡＰ以外の部分で可能かどうかを判断する（Ｓ１０３）。可能であると判断した場合（Ｓ１０３−ＹＥＳ）は、"ＧＡＰでの測定実施"に設定する（Ｓ１０５）。また可能でないと判断した場合（Ｓ１０３−ＮＯ）は、優先順位設定部１１３には予め、他システム測定、他周波数測定、自周波数測定の優先順位を設定してあるので、測定対象決定部１１０は、優先順位設定部１１
３に設定してある優先順位より、他システム及び他周波数測定の優先順位が高いかどうかを判断する（Ｓ１０４）。他システム及び他周波数測定の優先順位が高いと判断した場合（Ｓ１０４−ＹＥＳ）は、測定対象決定部１１０は、"ＧＡＰでの測定実施"に設定する（Ｓ１０５）。また、他システム及び他周波数測定の優先順位が高くないと判断した場合（Ｓ１０４−ＮＯ）は、"ＧＡＰ測定をとりやめて自周波数測定を行なう"を設定する（Ｓ１０６）。
【００３６】
なお、優先順位の決定方法として、各測定対象のセルの受信信号レベルにより判断する場合や、一定区間における測定回数や過去における測定回数、またはネットワークから指示されている優先順位により判断する場合があるが、優先順位決定方法はこの限りではない。
【００３７】
例えば、自周波数の受信信号レベルが高い場合は、周辺の基地局の検出、測定を行なわなくても通信が安定していると考えられ、自周波数とは異なる周波数の測定や他の通信システムの測定を行なう必要はなく、自周波数の測定を優先する。また自周波数のレベルが低い場合は、自周波数とは異なる周波数の測定や他の通信システムの測定を優先的に行い、ハードハンドオーバを行なう。また、例えば自周波数とは異なる周波数ｆ１において過去に何度も測定を行なった場合、もしくは測定してから間もない場合には、現在通信を行なっている周波数とは異なる周波数ｆ２を優先するように優先順位を決定しても良い。
【００３８】
ＧＡＰ判断部１０８は、測定対象決定部１１０が設定した内容にしたがって、測定制御部１１５に指示し、測定を開始する。
【００３９】
ここで、図１１を用いて、本発明の第３の実施の形態の携帯端末装置の動作例を説明する。ＧＡＰシーケンスＡを他システム測定のためのシーケンスとし、ＧＡＰシーケンスＢを他周波数測定のためのシーケンスとする。
【００４０】
図１１（ａ）は、優先順位設定部１１３によって、（シーケンスＡ＞シーケンスＢ＞自周波数）という優先順位を設定した場合を示している。"区間６"の一定区間の測定を行なう例を説明する。Ｔ０〜Ｔ１では、自周波数測定と判断し（Ｓ４１−ＹＥＳ）、自周波数測定を行なう（Ｓ４５）。Ｔ１〜Ｔ２では、自周波数測定が必要な場合であっても、他システム測定の方が優先順位が高いため、他システムの測定を行なう（Ｓ４３）。Ｔ２〜Ｔ３では、自周波数測定と判断し（Ｓ４１−ＹＥＳ）、自周波数測定を行なう（Ｓ４５）。Ｔ３〜Ｔ４では、自周波数測定が必要な場合であっても、他周波数測定の方が優先順位が高いため、他周波数の測定を行なう（Ｓ４３）。Ｔ４〜Ｔ５では、自周波数測定と判断し（Ｓ４１−ＹＥＳ）、自周波数測定を行なう（Ｓ４５）。
【００４１】
図１１（ｂ）は、優先順位設定部１１３によって、（シーケンスＢ＞自周波数＞シーケンスＡ）という優先順位を設定した場合を示している。"区間７"の一定区間の測定を行なう例を説明する。Ｔ０〜Ｔ１では、自周波数測定と判断し（Ｓ４１−ＹＥＳ）、自周波数測定を行なう（Ｓ４５）。Ｔ１〜Ｔ２では、自周波数測定が必要な場合であるが、他周波数測定の優先順位が高いため、自周波数測定はここでは行なわず、他周波数の測定を行なう（Ｓ４３）。Ｔ２〜Ｔ５では、他システム測定用ＧＡＰが含まれているが、自周波数測定の方が優先順位が高いため、自周波数測定と判断し（Ｓ４１−ＹＥＳ）、自周波数測定を行なう（Ｓ４５）。Ｔ５〜Ｔ６では、自周波数測定のほうが他システム測定よりも優先するため、自周波数の測定を行なう（Ｓ４５）。Ｔ６〜Ｔ７では、自周波数測定と判断し（Ｓ４１−ＹＥＳ）、自周波数測定を行なう（Ｓ４５）。
【００４２】
このような本発明の第３の実施の形態の携帯端末装置によれば、他システム及び他周波数測定用のＧＡＰの頻度が高く、自周波数測定に必要な時間がとれない場合に、セルの受
信信号レベルなどの通信品質に応じて各測定対象の優先順位をつけることができるため、優先順位に従った測定を行なうことができる。
【００４３】
（実施の形態４）
次に、本発明の第４の実施の形態の携帯端末装置について図１２を用いて説明する。なお、図１２において、図９と同じ部分には同じ番号を付して、その説明を省略する。図１２の携帯端末装置１０１は、ランダムアクセスチャネル送信の要求を行なうランダムアクセスチャネル送信要求部（図１２ではＲＡＣＨ送信要求部と略す）１１４を送信制御部１０６の中に新たに設けている。ランダムアクセスチャネル送信要求部１１４を設けたことにより、ランダムアクセスチャネルの送信要求を行なうようにしている。
【００４４】
以上のように構成された携帯端末装置について、図１３、図１４のフローチャートを用いてその動作を説明する。
【００４５】
まず、ＧＡＰ判断部１０８は、ランダムアクセスチャネル送信要求部１１４から、ランダムアクセスチャネル送信要求があることを判断する（Ｓ１３１）。ランダムアクセスチャネル送信要求がない場合は（Ｓ１３１−ＮＯ）、図１０の（Ｓ１０１）以降の処理と同様であるため、説明を省略する。ランダムアクセスチャネル送信要求がある場合は（Ｓ１３１−ＹＥＳ）、ＧＡＰ判断部１０８は、ある一定区間にＧＡＰがあることを判断する（Ｓ１３２）。ＧＡＰがないと判断した場合（Ｓ１３２−ＮＯ）は、ランダムアクセスチャネルの送信を行なうよう、送信制御部１０６に指示する。送信制御部１０６は、ＲＦ部１０３、アンテナ１０２を介して、ランダムアクセスチャネルを送信する。また、ＧＡＰ判断部１０８が、ある一定区間にＧＡＰがあると判断した場合（Ｓ１３２−ＹＥＳ）は、測定対象決定部１１０が他システム、及び他周波数の測定かもしくはランダムアクセスチャネル送信を行なうこと決定する。まず、ある一定区間のＧＡＰ以外の部分でランダムアクセスチャネル送信が可能かどうかを判断する（Ｓ１３３）。可能であると判断した場合（Ｓ１３３−ＹＥＳ）は、"ＧＡＰでの測定実施"に設定する（Ｓ１３５）。また可能でないと判断した場合（Ｓ１３３−ＮＯ）は、優先順位設定部１１３が、他システム測定、他周波数測定、ランダムアクセスチャネル送信の優先順位を設定し、測定対象決定部１１０は、優先順位設定部１１３が設定した優先順位より、他システム及び他周波数測定の優先順位が高いかどうかを判断する（Ｓ１３４）。他システム及び他周波数測定の優先順位が高いと判断した場合（Ｓ１３４−ＹＥＳ）は、測定対象決定部１１０は、"ＧＡＰでの測定実施"に設定する（Ｓ１３５）。また、他システム及び他周波数測定の優先順位が高くないと判断した場合（Ｓ１３４−ＮＯ）は、"ランダムアクセスチャネル送信を行なう"を設定する（Ｓ１３６）。
【００４６】
なお、優先順位の決定方法としては、各測定対象の基地局からの受信信号レベルにより判断する場合や、一定区間における測定回数や過去における測定回数、またはネットワークから指示されている優先順位により判断する場合があるが、優先順位決定方法はこの限りではない。
【００４７】
例えば、自周波数の受信信号レベルと、自周波数とは異なる他周波数、もしくは他の通信システムの受信信号レベルとを比較して、自周波数の受信信号レベルが高い場合には通信が安定していると考えられ、ランダムアクセスチャネル送信を優先する。また自周波数の受信信号レベルが、他周波数、もしくは他の通信システムの受信信号レベルより小さい場合には、ＧＡＰでの測定を優先して行なうようにする。
【００４８】
ＧＡＰ判断部１０８は、測定対象決定部１１０が設定した内容にしたがって、測定制御部１１５に指示し、ランダムアクセスチャネルの送信、測定を開始する。
【００４９】
測定制御部１１５は、ＧＡＰ判断部１０８からの情報により、ランダムアクセスチャネル送信、他システム測定、他周波数測定であることを判断する（Ｓ１４１）。ランダムアクセスチャネル送信であると判断した場合（Ｓ１４１−ＹＥＳ）には、測定制御部１１５は、受信制御部１０７、送信制御部１０６にランダムアクセスチャネル送信であることを指示し、ランダムアクセスチャネル送信を行なう（Ｓ１４５）。ランダムアクセスチャネル送信でないと判断した場合（Ｓ１４１−ＮＯ）は、測定制御部１１５は、他システム、他周波数測定を行なうために、切り替え制御部１０９に、ＲＦ部切り替え、シンセサイザ切り替えを指示する。切り替え制御部１０９は、指示された測定対象の測定が可能となるように、ＲＦ部１０３を切り替え、シンセサイザ制御部１０４を制御する。次に測定制御部１１５は、受信制御部１０７、送信制御部１０６に他システム、または他周波数測定であることを指示し、測定を行なう（Ｓ１４３）。測定の完了後、測定制御部１１５は、切り替え制御部１０９に自周波数測定が可能となるよう、ＲＦ部の切り替え、シンセサイザの切り替えを指示する（Ｓ１４４）。一定区間が終了するまで（Ｓ１４１）から（Ｓ１４６）を繰り返す。
【００５０】
このような本発明の第４の実施の形態の携帯端末装置によれば、ランダムアクセスチャネル送信要求があった場合に、受信信号レベルなどの通信品質に応じて自周波数によるランダムアクセスチャネル送信、他周波数測定、他システム測定の優先順位を決定することができるため、優先順位に従ってランダムアクセスチャネル送信と測定を切り替えることができる。
【産業上の利用可能性】
【００５１】
本発明にかかる携帯端末装置は、現在通信中の周波数とは異なる周波数、異なる通信システムのＧＡＰでの測定を取りやめて、現在通信中の周波数のセルの測定、ＳＦＮ取得を優先させることができるため、速やかなソフトハンドオーバができるという効果を有し、コンプレストモードを使用したＣＤＭＡ方式携帯端末装置等として有用である。
【図面の簡単な説明】
【００５２】
【図１】本発明の実施の形態１における携帯端末装置のブロック図
【図２】本発明の実施の形態１における自周波数測定を優先的に行なう動作を示すＧＡＰシーケンス図
【図３】本発明の実施の形態１における携帯端末装置の動作を示すフローチャート
【図４】本発明の実施の形態１における携帯端末装置の動作を示すフローチャート
【図５】（ａ）本発明の実施の形態１における携帯端末装置の動作を示すＧＡＰシーケンス図（ｂ）本発明の実施の形態１における携帯端末装置の動作を示すＧＡＰシーケンス図（ｃ）本発明の実施の形態１における携帯端末装置の動作を示すＧＡＰシーケンス図
【図６】本発明の実施の形態２における携帯端末装置のブロック図
【図７】本発明の実施の形態２における携帯端末装置の動作を示すフローチャート
【図８】本発明の実施の形態２における携帯端末装置の動作を示すＧＡＰシーケンス図
【図９】本発明の実施の形態３における携帯端末装置のブロック図
【図１０】本発明の実施の形態３における携帯端末装置の動作を示すフローチャート
【図１１】（ａ）本発明の実施の形態３における携帯端末装置の動作を示すＧＡＰシーケンス図（ｂ）本発明の実施の形態３における携帯端末装置の動作を示すＧＡＰシーケンス図
【図１２】本発明の実施の形態４における携帯端末装置のブロック図
【図１３】本発明の実施の形態４における携帯端末装置の動作を示すフローチャート
【図１４】本発明の実施の形態４における携帯端末装置の動作を示すフローチャート
【符号の説明】
【００５３】
１０１  携帯端末装置
１０２  アンテナ
１０３  ＲＦ部
１０４  シンセサイザ制御部
１０６  送信制御部
１０７  受信制御部
１０８  ＧＡＰ判断部
１０９  切り替え制御部
１１０  測定対象決定部
１１１  制御部
１１２  測定頻度記録部
１１３  優先順位設定部
１１４  ランダムアクセスチャネル送信要求部
１１５  測定制御部
【図１】
2006121172.tif 000003
【図２】
2006121172.tif 000004
【図３】
2006121172.tif 000005
【図４】
2006121172.tif 000006
【図５】
2006121172.tif 000007
【図６】
2006121172.tif 000008
【図７】
2006121172.tif 000009
【図８】
2006121172.tif 000010
【図９】
2006121172.tif 000011
【図１０】
2006121172.tif 000012
【図１１】
2006121172.tif 000013
【図１２】
2006121172.tif 000014
【図１３】
2006121172.tif 000015
【図１４】
2006121172.tif 000016